Podtech/llm-jp-corpus-v4-ja_patent huggingface dataset:
(57)【要約】【課題】  廃棄物焼却装置において残渣物の中に残存する可燃物を完全に燃焼させる方法を提供する。【解決手段】  焼却炉の底部近くで焼却残渣物の溜まる部分に金属製の端末を閉じた円筒で外部から筒の中にバーナーの炎を吹き込めるようにしてあり、筒の要所要所に炎を噴出させるための穴が穿けてあるものを設置する。また筒の外周には螺旋状の金属板が取り付けてあり、この筒は外部のモーターにより左右任意の方向に回転できるようにする。【選択図】図１
2007078337.tif 000002
【特許請求の範囲】
【請求項１】
焼却炉の底部近くに設置する、外部からバーナーの炎あるいは空気を吹き込むための直径１５ｃｍで長さ５０ｃｍ〜１ｍほどの端末を閉じた金属製の筒で、筒の要所要所には炎あるいは空気を噴出させるための穴が穿けてあり、筒の入り口にはバーナーがセットされており、またこの筒の外周には螺旋状の金属板が取り付けてあり、この筒を軸の周りに右回り左回りに回転させる事により底に溜まっている残渣物を砕いて、残渣物を送ったり、戻したりして完全燃焼させ、さらに一方向に回転させてスクリュウ・コンベア−のように残渣物を送り出す役目も兼ね備えて持つ事を特徴とする焼却炉用助燃装置。
【請求項２】
前述の金属製の筒の延長線上にある焼却炉の壁には、蝶番でぶら下げた蓋が取り付けてある出口があり，金属製の筒を回転させて、残渣物を送り出したとき残渣物がそこに押し付けられて、蓋が自動的に開いて残渣物がそこから外に落ちるようにしてある事を特徴とする請求項１記載の焼却炉用助燃装置。
【請求項３】
前述の金属製の筒の延長線上の床には一定以上の重量がかかったとき一部分下に開くようになった出口蓋があり，金属製の筒を回転させて、残渣物を送り出して残渣物がそこに溜まって一定以上の重量になったとき、蓋が自動的に開いて残渣物がそこから外に落ちるようにしてある事を特徴とする請求項１記載の焼却炉用助燃装置。
【請求項４】
前述の金属製の筒の周りに残渣物を打ち砕く為に適当な長さの金属製の棒を何本か筒の表面からほぼ垂直に取り付けてある事を特徴とする請求項１、２、３記載の焼却炉用助燃装置。
【発明の詳細な説明】
【技術分野】
【０００１】  本発明は廃棄物等を焼却処理する焼却炉の助燃装置に関する。
【背景技術】
【０００２】  中小規模の廃棄物焼却処理炉は、以前からあった簡単な箱型の、廃棄物を入れて火をつけ、煙突から煙を出すだけのものは、不完全燃焼のためにダイオキシンなどの有害物質や、煙、煤などを大量に大気中に放出するので環境汚染の観点から使用することができなくなっている。【０００３】  ２次燃焼炉を付加したり、フィルターを付けたり、廃棄物を完全燃焼させることのできる炉が色々と提案されているが、いずれも構造的に複雑で、大掛かりな高価なものが多かった。【０００４】  以前我々の発明した助燃筒内蔵焼却炉：特願２００４−１３４８５１は廃棄物を完全燃焼させる事のできる焼却炉であり、嵩密度が低く可燃物を多く含む廃棄物の場合は適切な空気の吹込みによって、良く燃焼して残渣は灰分のみとなって炉の下部に落ちていくが，嵩密度が高く可燃物の含有量の比較的少ない廃棄物の場合は不完全燃焼の残渣物が底の方に溜まり、完全燃焼させるのに長時間かかった。
【発明の開示】
【発明が解決しようとする課題】
【０００５】  嵩密度が高く可燃物の含有量の比較的少ない廃棄物の残渣物の中に残存する可燃物を短時間で完全に燃焼させる方法を提供する。
【発明を解決するための手段】
【０００６】  粘土鉱物の粉体とセルロ−スを混合・圧縮して作られたような、嵩密度が高くて可燃物の含有量が比較的少ない製品の廃棄物等を焼却処理しようとすると、火付きが悪くかつ一定程度表面から燃焼しても中までは燃焼が進行しにくく、残渣物の中には未燃の可燃物が残っているような場合には、それを突き崩して、そこに炎を吹き込むことによって完全に燃焼させる事ができることが解った。
【０００７】  従って残渣物が溜まる焼却炉の下部に金属製の筒の外周に金属板を螺旋状に取り付けたものを置き、適宜これを左右に回転させる事により，金属板が残渣物を砕き、その金属製の筒内にはバーナーの炎を吹き込み、筒に要所要所穿けてある穴から噴出する炎により残渣物は完全燃焼する。またこの筒を一方向に回転させればスクリュウコンベアのように砕いた残渣物を一方向に送ることができる。
【発明の効果】
【０００８】  本発明の焼却炉用助燃装置を使用することにより、固まってしまって中まで燃焼が進行しにくい廃棄物の残渣物を打ち砕き、かつバーナーの炎で加熱することができるので短時間で効率良く廃棄物を焼却することができる。
【発明を実施するための最良の形態】
【０００９】  焼却炉の底部近くで焼却残渣物の溜まる部分に金属製の端末を閉じた円筒で外部から筒の中にバーナーの炎を吹き込めるようにしてあり、筒の要所要所に炎を噴出させるための穴が穿けてあるものを設置する。また筒の外周には螺旋状の金属板が取り付けてあり、この筒は外部のモーターにより右回り左回り任意の方向に回転できるようにしてある。
【実施例】
【００１０】  本発明の焼却炉用助燃装置を図面に基づいて説明すると、図１は焼却炉の底部に設置された焼却炉用助燃装置を示す概念図で炎の噴き出す噴出口１の穿いた穴あき円筒２の外部周囲には螺旋金属板３が取り付けてあり、穴あき円筒２は回転軸４に直結してあるモーター５で右、左回りに回転ができるようになっている。また反対の吹き込み口６からはバーナー７の炎が吹き込めるようになっている。【００１１】  この装置の作用は焼却炉の底部に溜まる不完全燃焼残渣物を打ち毀して完全に焼却することにある。モーターにより右回り左回りに穴あき円筒２を回転させると螺旋金属板３により残渣物は潰され、バーナーから吹き込まれた炎は噴出口１から筒の外に噴出し、燃え切れていない残渣物を完全に燃焼させる働きをする。【００１２】  残渣物が燃え終わって灰になった段階で筒を一方向に回転させて図の右の方に送るようにすると灰は右の出口蓋８の上に溜まり、一定以上の重さになると錘９の重さに打ち勝って下に落ちる。この一連の動作をシーケンサーに予め組み込んでおくと良い。
【産業上の利用可能性】
【００１３】  以上述べてきたように、本発明の焼却炉用助燃装置によれば不完全な燃え方で焼却炉の底に停滞してしまう残渣物を打ち崩して焼却させてしまうことができるので焼却炉の効率を上げることができる。
【図面の簡単な説明】
【００１４】
【図１】本発明の焼却炉用助燃装置を含む焼却炉の底部を示す概念図。
【符号の説明】
【００１５】１  噴出口
２  穴あき円筒
３  螺旋金属板
４  回転軸
５  モーター
６  吹き込み口
７  バーナー
８  出口蓋
９  錘
【図１】
2007078337.tif 000003
(57)【要約】【課題】  従来技術では、ホックとしての機能には問題ないが、その使用する衣服、ブラジャー、コルセットは種々の素材からなるものが存在しているが、その素材に合わせたくとも、従来のホックは、単に金属製ワイヤからなるホックのため、その衣服素材、あるいは好みに合わせて風合いのあるソフトな感じのするものではないという問題がある。【解決手段】  ホックを形成する長さに切断された金属製ワイヤ１の全周面を覆うように合成樹脂製筒体４に挿入し、その両端部３から若干突出した合成樹脂製筒体４で、前記金属製ワイヤ１を覆うようにして溶着閉鎖し、さらにそれを各種ホック形状に屈曲形成したホック。【選択図】図２
2007006966.tif 000002
【特許請求の範囲】
【請求項１】
ホックを形成する長さに切断された金属製ワイヤの全周面を覆うように合成樹脂製筒体に挿入し、その両端部から若干突出した合成樹脂製筒体で、前記金属製ワイヤを覆うようにして溶着閉鎖し、さらにそれを各種ホック形状に屈曲形成したことを特徴とするホック。
【発明の詳細な説明】
【技術分野】
【０００１】
本発明は、衣服（例えば、ジャケット、シャツ、コート等）、ブラジャー、コルセット等に取り付ける、留め掛けるためのホックまたはループに関するものである。
【背景技術】
【０００２】
従来、衣服、ブラジャー等に取り付けるホックは、単に金属製ワイヤを各種形状に屈曲して形成したものや、左右両カップには、それぞれカップ台が縫着されており、カップの形状として、一般に３／４カップと呼ばれるカップを使用する。なお、カップ台には、縦幅が１３ｍｍで伸縮性のあるテープがそれぞれ縫着され、係合部を形成している。左右カップのそれぞれ一方の端部に縫着されるバックパネル、右カップ、左カップの上部からそれぞれバックパネルに縫着される右ショルダストラップ及び左ショルダストラップ、左右カップの自由端を係止するための留め具で、金属製の金具で構成され、テープが設けられているホックブラジャー（例えば、特許文献１参照）が存在している。
【特許文献１】登録実用新案第３０６０００５号公報（実用新案登録請求の範囲の欄、考案の実施の形態の欄の段落｛００１７｝〜｛００２０｝、及び図１、図６を参照）
【発明の開示】
【発明が解決しようとする課題】
【０００３】
しかしながら、前記従来技術においては、ホックとしての機能には問題ないが、その使用する衣服、ブラジャー、コルセットは種々の素材からなるものが存在しているが、その素材に合わせたくとも、従来のホックは、単に金属製ワイヤからなるホックのため、その衣服素材、あるいは好みに合わせて風合いのあるソフトな感じのするものではないという問題がある。
本発明は、これを解決したもので、調和のとれた風合いのある透明や、着色された合成樹脂から成る筒体（パイプ）に金属製ワイヤを挿入して、金属製ワイヤ全体を覆うことで、極めて風合いのある違和感のない利用者に喜ばれるホックを形成する長さに切断された金属製ワイヤの全周面を覆うように合成樹脂製筒体に挿入し、その両端部から若干突出した合成樹脂製筒体で、前記金属製ワイヤを覆うようにして溶着閉鎖し、さらにそれを各種ホック形状に屈曲形成したホックを提供することを目的とするものである。
【課題を解決するための手段】
【０００４】
上記課題を解決するための本発明の第１発明は、請求項１に記載された通りのホックであり、次のようなものである。
ホックを形成する長さに切断された金属製ワイヤの全周面を覆うように合成樹脂製筒体に挿入し、その両端部から若干突出した合成樹脂製筒体で、前記金属製ワイヤを覆うようにして溶着閉鎖し、さらにそれを各種ホック形状に屈曲形成する構成である。
【発明の効果】
【０００５】
本発明に係るホックは、上記説明のような構成を有するので、以下に記載する効果を奏する。
（１）取り付ける衣服等の色柄や布地に合わせて、あるいは好みに合わせて金属製ワイヤで製作したホック、ループではなく、調和のとれた風合いのある合成樹脂製のパイプに金属ワイヤを挿入して、両端から余分に突出している合成樹脂製パイプを金属ワイヤの全体を覆うようにして溶着閉鎖することで、金属製ワイヤが抜け出すことがないようにしたホック、ループであるため、極めて風合いのある違和感のない、利用者に喜ばれるものを提供することができる。
【発明を実施するための最良の形態】
【０００６】
ホックを形成する長さに切断された非磁性金属製ワイヤの全周面を覆うように合成樹脂製筒体に挿入し、その両端部から若干突出した合成樹脂製筒体で、前記金属製ワイヤを覆うようにして溶着閉鎖し、さらにそれを各種ホック形状に屈曲形成したホックである。
【実施例】
【０００７】
以下、本発明の一実施例を添付図面で詳細に説明する。
図１に示すように、長尺な丸棒、角棒からなる非磁性材のステンレス鋼の線材やスチール鋼の線材に真鎮メッキした金属製ワイヤ１の全周面を覆うように合成樹脂製筒体４に挿入して金属製ワイヤ１の両端より若干突出した合成樹脂製筒体４をウェルダー等で溶着閉鎖して、金属製ワイヤ１全体を覆って、さらにこれを、例えば図３に示すような形状のホックに屈曲形成してホックを得るものである。
【０００８】
ここで、具体的な一実施例について製作工程順に図１〜図３に基づいて詳細に説明する。
図１に示すように、合成樹脂製筒体４を必要な長さにして用意する。そして、前記合成樹脂製筒体４内に、金属製ワイヤ１を例えば矢印に示す方向から挿入し、図２に示すように両端部３に突出させた合成樹脂製筒体４で金属製ワイヤ１を覆うようにして、両端部３をウェルダー等で溶着閉鎖し、これを図３に示すように、両端部３をループ状部２を屈曲形成し、さらに屈曲して雄ホック５や雌ホック６を形成する。
【産業上の利用可能性】
【０００９】
各種、衣服、ブラジャー、コルセット等のホック、ループとして利用できものである。
【図面の簡単な説明】
【００１０】
【図１】本発明の一実施例であるホックを形成するのに必要な長さに切断した金属製ワイヤを合成樹脂製筒体に挿入する状態を示す正面図である。
【図２】本発明の一実施例である図１に示した合成樹脂製筒体に挿入した金属製ワイヤの両端部を溶着し閉鎖状態にしたところを示す正面図である。
【図３】本発明の一実施例で、図２に示した合成樹脂製筒体に挿入された金属製ワイヤを屈曲させてホックを形成した雄ホック、雌ホックを示す一部斜視した正面図である。
【符号の説明】
【００１１】
１・・・・金属製ワイヤ                        ２・・・・ループ状部
３・・・・両端部                              ４・・・・合成樹脂製筒体
５・・・・雄ホック                            ６・・・・雌ホック
【図１】
2007006966.tif 000003
【図２】
2007006966.tif 000004
【図３】
2007006966.tif 000005
(57)【要約】【課題】開示した特許文献記載のように救護区分は、災害時の患者救護に用いられる。ところで、日常の業務や災害時に救護区分別の総数が分かれば便利である。しかしながら従来のナースコールシステムでは総数を集計し表示するものがなかった。【解決手段】氏名等の患者特定情報とその患者の救護区分情報を対とする１ユニットの情報表示を複数ユニット表示するナースコールシステムで、救護区分を種類別に全ユニットにわたり集計し、その集計結果を表示することで課題を実現する。【選択図】図１
2007006928.tif 000002
【特許請求の範囲】
【請求項１】
氏名等の患者特定情報とその患者の救護区分情報を対とする１ユニットの情報表示を複数ユニット表示するナースコールシステムであって、前記救護区分を種類別に全ユニットにわたり集計し、その集計結果を表示することを特徴とするナースコールシステム。
【発明の詳細な説明】
【技術分野】
【０００１】
本発明は看護、介護におけるナースコールシステムに関する。
【背景技術】
【０００２】
ナースコールシステムの親機等には氏名等の患者特定情報とその患者の救護区分情報を対とする１ユニットの情報表示を複数ユニット表示するものがある。
【特許文献１】特開2001-215905
【発明の開示】
【発明が解決しようとする課題】
【０００３】
開示した特許文献記載のように救護区分は、災害時の患者救護に用いられる。ところで、救護区分に従い患者の救護を行った後に全員の救護が完了したか確認することが想定される。  所謂、点呼であるが、緊急且つ認知症等の患者を考えた場合、個々の確認は困難であり、人数を数えたほうが合理的である。本発明はこのような場合に、本来の人数を表示することで、確認を容易にするナースコールシステムの提供を課題とする。    
【課題を解決するための手段】
【０００４】
氏名等の患者特定情報とその患者の救護区分情報を対とする１ユニットの情報表示を複数ユニット表示するナースコールシステムで、救護区分を種類別に全ユニットにわたり集計し、その集計結果を表示することで課題を実現する。    
【発明の効果】
【０００５】
救護区分Aの患者＊人、Bの患者＊＊人、Cの患者＊＊＊人と表示されるので、救護活動において、救護忘れ等の確認が容易に行える。    
【発明を実施するための最良の形態】
【０００６】
記録手段に表示すべき氏名等の患者特定情報とその患者の救護区分情報を記録する。        
【０００７】
所定周期、あるいは記録手段の記録に変更が発生したときに、全患者の救護区分をカウントして、その結果を表示する。    
【図面の簡単な説明】
【０００８】
【図１】・・・本発明に係る記録された情報
【図２】・・・本発明の動作フローチャート
【図１】
2007006928.tif 000003
【図２】
2007006928.tif 000004
(57)【要約】      （修正有）【課題】同一磁場に於いて起る引着と反発を連結桿で繋いで生じる力を回転に利用し、磁石そのものを用いて直線運動以外の円運動である回転運動が出来るようにする。クリーンエナルギーとして産業分野に役立たせる。【解決手段】磁極を同一方向とする環状で周心円とした大環状磁石と小環状磁石を左右４５°に振り分け同じ磁場に磁石（１）磁石（２）をセットし、元を連結桿にて繋ぎ、その中間点（７）を軸とアーム（６）にて同心（８）に固定するとＰＸＷの力で回転する。【選択図】図１
2007006686.tif 000002
【特許請求の範囲】
【請求項１】
磁極を同一方向とする環状で同心円とした大環状磁石と小環状磁石を左右４５°に振分け同じ磁場に磁石（３）磁石（２）をセットし、元を連結桿にて繋ぎ、その中間点（７）を軸とくアーム（６）にて円心（８）に固定するとＰＸＷの力で回転する。
【発明の詳細な説明】
【発明の詳細な説明】
【発明に属する技術分野】
【０００１】  本発明は、同一磁場に於いて起る引着と反発を連結桿で繋いで生ずる力を回転に利用したものである。
【背景技術】
【０００２】  磁石を利用した電磁石、超伝磁石がある。
【発明が解決しようとする課題】
【０００３】  磁石の直線運動を回転運動にする工夫である。
【発明の効果】
【０００４】  クリーンエネルギーとして産業分野に役立つ
【図面の簡単な説明】
【図１】
【符号の説明】
１  大環状磁石
２  小環状磁石
３  立方体磁石
４  立方体磁石
５  連結桿
６  アーム
７  中間点軸
８  円心
９  回転力
【図１】
2007006686.tif 000003
(57)【要約】【課題】  落花生の種皮付きの実に、種皮を加えた加工品は、ポリフェノールを多く含んでいる為、活性酸素を抑える作用があり、生活習慣病の予防に良いとされていたが、食品に添加するのがやり難い事と、品質劣化が早い欠陥があった。【解決手段】  落花生の種皮付きの実の代わりに、 落花生の種皮付きの実を絞った、低脂肪落花生に種皮を加えて、粉状に加工する事により、食品に添加する事が容易になり、品質劣化が遅くなり、しかもポリフェノールの量は変わらないので生活習慣病の予防になる、利用範囲が極めて広い健康に良い食品になった。【選択図】  なし【特許請求の範囲】
【請求項１】
低脂肪落花生の種皮が付いた実に、落花生の種皮を加えて、これを加工した事を特徴とする落花生の加工品。
【請求項２】
低脂肪落花生の種皮が付いた実に、落花生の種皮を加えて、これを加工した事を特徴とする落花生の加工品の製造方法。
【発明の詳細な説明】
【技術分野】
【０００１】
落花生の加工品と言えば、殻のままや、種皮付きの実、又は種皮を取った実や、或いは実を砕いて、これに味付け等の加工をしている。これらの中で本発明は、低脂肪落花生の実を加工して作る加工品と、その製造方法に関するものである。
【背景技術】
【０００２】
落花生の加工した加工品と、その製造方法に関する発明は、本出願人が先に出願した特許文献１がある。特許文献１は、落花生の加工品とその製造方法に関する物であるが、本出願は落花生を低脂肪落花生に置き換え、低脂肪落花生の加工品とその製造方法に関する物である。
【０００３】
ここで特許文献１の概要について説明する。 落花生の種皮付きの実は、種皮付きの実を100とすると、種皮の部分は重量比で3.1に過ぎない。しかしこの3.1％の種皮に、ポリフェノールが多く含まれている。
【０００４】
このポリフェノールは、疾病 発癌 老化の原因となる活性酸素を抑える作用があり、生活習慣病の予防に良いとされている。
しかし落花生の種皮付きの実を加工しただけでは、ポリフェノールの量が少ない為、抗酸化および抗変異原性効果が少なかった。そこで落花生の種皮付きの実に、種皮を加えて加工する事により、ポリフェノールの量が大幅に増大した。この為、落花生の加工品を、生活習慣病を予防する健康に良い食品にする事が出来た。
【特許文献１】特願2005-135838
【発明の開示】
【発明が解決しようとする課題】
【０００５】
しかし特許文献１の 落花生の種皮付きの実に、種皮を加えて加工した加工品には、実用面に次のような欠陥があった。
１.  加工品が粘性体である為、食品に添加する際、粘性体を溶かしたり混ぜたりせねばならず、一定の食品には良いが、広く食品に添加する事がやり難かった。
加工品の品質劣化が早い為、商品の品質管理、在庫管理が面倒であった。
【課題を解決するための手段】
【０００６】
そこで落花生(種皮付き)の実の代わりに、低脂肪落花生(種皮付き)の実を使う事にした。
１.  食品に添加する事については、低脂肪落花生の加工品は粉体なので、他の食品原料の粉を添加して混ぜたり、また水や熱湯を加えて混ぜる際、より均一に混合でき、食品に添加する事が容易になった。
ここで補足説明すると、落花生の加工品は、油脂を多く含んでいる為、ミキサーで粉砕しようとしても、粘性を保ったままで 粉状にならない。これに対し低脂肪落花生の加工品は、油脂が少ないので、ミキサーで粉砕すると、粒子の小さい粉状になる。
【０００７】
加工品の品質劣化については、落花生の加工品は油脂を多く含んでいる為、
油脂の酸化が早く、商品の品質劣化が早い。これに対し低脂肪落花生の加工品は油脂が少ないので、商品の品質劣化が遅い。
この事に関し 本出願人は、常温で落花生の加工品が３ヶ月で変質するのに対し、低脂肪落花生の加工品は６ヶ月たっても変質しない事を確認している。
【０００８】
尚落花生に含まれているポリフェノールの量は、低脂肪落花生にした場合も変わらない。従って低脂肪落花生が、ポリフェノールにより活性酸素を抑制し、生活習慣病を予防する効果は、落花生の場合と変わらない。
【０００９】
ここで低脂肪落花生について詳細に説明する。先ず落花生の種皮付きの実を、170℃で6分間焙煎する。この時落花生の種皮付きの実は、重量が約１割減少する。次にこれを圧縮油絞り機で油脂を絞りとる。絞りとる程度は、通常落花生の種皮付きの実は、重量比で約50％の油脂を含んでいるが、これを約半分の25％までにする。本出願では、このようにして油脂を絞りとった加工品を、低脂肪落花生と称する事とする。
【発明の効果】
【００１０】
このように本出願は、特許文献１のポリフェノールによる生活習慣病を予防する効果はそのまま残し、特許文献１で欠陥とされた、食品に添加する事を容易にし、更に商品の保存期間を永くする事が出来た。
【発明を実施するための最良の形態】
【００１１】
次に低脂肪落花生の実に、種皮を加えて加工する方法を、実施例１により説明する。
【実施例１】
【００１２】
先ず重量比で、低脂肪落花生１、砂糖１、落花生の種皮0.3に、塩少々加えて混合する。これを鋭い刃を高速回転させた ミキサーで粉砕し、50メッシュ以下の粉末にする。なお砂糖は最初から入れないで、後で粉末を溶かす時に、好みに応じて入れてもよい。又落花生の種皮には独特の渋みがあるが、砂糖を加える事により 砂糖が渋みをマスクし、渋みが無く良好な食味を持つ、粉状の低脂肪落花生の加工品が出来た。
【産業上の利用可能性】
【００１３】
この低脂肪落花生の粉は、カップに好みの量を入れ、熱湯を注いで混ぜると、落花生のしるこが出来る。又好みにより 牛乳、豆乳を熱して注いでも美味しい。
この外パン、クッキー、アイスクリーム等の副材料としての用途もある。
更に冷水を注いで、良く混ぜて1時間程浸漬すると、ポリフェノールが良く出るので、冷たいままでもよく、暖めても美味しく飲める。そして生活習慣病を予防出来る健康に良い食品である。このように低脂肪落花生の加工品の利用範囲は極めて広い。
(57)【要約】【課題】    自然食品の効用により健康効果の得られるドレッシング及びそれを用いたサラダ。【解決手段】サラダ油４００ｍｌ〜６００ｍｌに対し、酢４００ｍｌ〜６００ｍｌ、寒天を主成分とし、塩、胡椒等の調味料にて味調整したものであり、前記寒天は分離を抑止するとろみを得る量よりなるものであることを特徴とする健康ドレッシング。【特許請求の範囲】
【請求項１】
サラダ油４００ｍｌ〜６００ｍｌに対し、酢４００ｍｌ〜６００ｍｌ、寒天を主成分とし、塩、胡椒等の調味料にて味調整したものであり、前記寒天は分離を抑止するとろみを得る量よりなるものであることを特徴とする健康ドレッシング。
【請求項２】
酢と、水にふやかした寒天を鍋に入れて沸騰させた後、あら熱がとれるまで放置し、タマネギやパプリカ等の副材と塩、胡椒等の調味料を入れ、混合させ、２５度前後程度のとろみのついた状態でサラダ油を加えながら撹拌し、その容器を氷水につけて、５度〜１７度になるまで撹拌しながら冷まし、冷蔵庫で一晩程度ねかせる工程よりなる健康ドレッシングの製造方法。
【発明の詳細な説明】
【技術分野】
【０００１】自然食品の効用により健康効果の得られるドレッシング及びそれを用いたサラダ。
【背景技術】
【０００２】従来のサラダ油と酢を主体とするフレンチドレッシングとしては、これにレモン汁や塩、胡椒等の基本調味料を入れたものであった。
【発明の開示】
【発明が解決しようとする課題】
【０００３】従来のドレッシングは味気の無い食材の風味を増すことに重点が置かれていた。また、ドレッシングが分離した状態のため、撹拌作業が必要となり、状態が安定しないために味がかわっていた。不特定多数の人に好まれ、健康効果を得られることを本発明の課題とする。
【発明が解決するための手段】
【０００４】本発明の構成は下記の通りである。
サラダ油４００ｍｌ〜６００ｍｌに対し、酢４００ｍｌ〜６００ｍｌ、寒天を主成分とし、塩、胡椒等の調味料にて味調整したものであり、前記寒天は分離を抑止するとろみを得る量よりなるものであることを特徴とする健康ドレッシング。
酢と水にふやかした寒天を鍋に入れて沸騰させた後、あら熱がとれるまで放置した後、タマネギやパプリカ等の副材と塩、胡椒等の調味料を入れ、混合させ、２５度前後程度のとろみのついた状態でサラダ油を加えながら撹拌し、その容器を氷水につけて、５度〜１７度になるまで撹拌しながら冷まし、冷蔵庫で一晩程度ねかせる工程よりなる健康ドレッシングの製造方法。
【発明の効果】
【０００５】本発明により、味気のない野菜などの食材の風味を増す従来のドレッシングの効果に加え、このドレッシングは自然食材（寒天、酢）を調合することによって、便秘を解消、高血圧を引き起こす原因と言われている塩分を包んで排出してくれるので塩分の過剰摂取の予防並びに、毎日摂取する必要のある必須アミノ酸の摂取にも役立つという健康効果の得られるドレッシングである。一般的に、人間の脳は９割が脂肪でで構成されており、毎日新鮮な脂肪分を摂取することがとても大切であると言われている。油を炒めたり火を加える調理により酸化した油よりも自然のまま新鮮な油を摂取できることは体の錆びを予防する意味で、大変重要な効果がある。
また、このドレッシングは分離していないので、従来のように使用する前に撹拌作業が必要ないため、状態が安定し、味がかわらない。
従来のドレッシングのように混ぜるときに洋服などを汚してしまう心配が無くなる。
【発明を実施するための最良の形態】
【０００６】  以下、本発明の実施の形態を説明する。
１サラダ油６００ｍｌ、お酢５００ｍｌ、寒天一本分、タマネギ（１時間放置したもの）中１個、パプリカ１個、ママレード大さじ２杯、塩大さじ４大盛り・胡椒を小さじ１山盛り  を組成分とすることを特徴とするドレッシング。
下記に手順を記述する。
手順（１）  お鍋に酢、塩、あらかじめ水でふやかしておいた寒天をほぐして入れ、ひと煮立ちした後、１０分ほど細い火にかける。
（２）  あら熱がとれてから胡椒とママレードを入れて、その後、もう少し冷めてからスライスして１時間放置したタマネギとスライスしたパプリカを加え、ゆっくりとかき混ぜながら２５、２６度まで冷ます。
（３）  ２５、２６度になり、トロミがついたのを確認してから、鍋をかき混ぜながら、油を流しいれる。
（４）  氷水につけ、よく撹拌しながら、１４、１５度まで冷ます。
（５）  後は、一晩冷蔵庫に保管して、状態を落ち着かせる。
その他の事例について以下に配分を説明する。
２サラダ油６００ｍｌ、黒酢４００ｍｌ、寒天一本分の３分の２、タマネギ（１時間放置したもの）中１個、パプリカ１個、ママレード大さじ２杯、塩大さじ３太盛り・胡椒小さじ１山盛り  を組成分とすることを特徴とするドレッシング。
手順は上記と同様である。
(57)【要約】      （修正有）【課題】ＣＯ２とＨ２Ｏより、ブドウ糖と、及び２１種の全アミノ酸とビタミンを工業的に作るシステムを提供する。【解決手段】基本的に糖は、エタノールより糖をつくる「紅色無いおう細菌」により、発酵させて作る。そのさい、バイオリアクターを使う。又、そのエタノールはＣ１ケミカルで、ＣＯ２とＨ２より、ＣＯとＨ２を作り、そのＣＯとＨ２より作る。又その糖で、酵母を培養、酵母より、全アミノ酸とビタミンが摂れる。そして以上の一連がＣＯ２とＨ２より、糖と２１のアミノ酸を工業的収率で作れる。【選択図】  図１
2007006879.tif 000002
【特許請求の範囲】
【請求項１】
▲１▼２酸化炭素と水より、一酸化炭素と水素を作る。2007006879.tif 000005
▲２▼一酸化炭素と水素より、ジルコニア触媒でエタノールを作る▲３▼光合成細菌のその中の「紅色無いおう細菌」により、エタノールより糖をつくる。▲４▼又そのさい、バイオリアクターで工業的に作る▲５▼その糖を熱で結晶抽出したものを、「酵母」の培養のえさにする▲６▼以上の一連の過程はＣＯ２とＨ２Ｏ⇒糖及び全２１のアミノ酸とビタミンの工場内生産になる
【発明の詳細な説明】
【分野】
【０１】農芸［従来］
【０２】ＣＯ２とＨ２Ｏより、２１の全アミノ酸と糖をつくるシステムはなかった。準するものとして、少しのアミノ酸とビタミンのあるクロレラ培養があった［課題］
【０３】ＣＯ２とＨ２Ｏより、全２１種のアミノ酸及びブドウ糖を作るシステム［方法］
【０４】（１）、光合成細菌の紅色無いおう細菌はエタノールより、糖を発酵する。（２）、エタノールは、ＣＯ２と、水の電解のＨ２より、Ｃ１ケミカルで作れる。（３）、糖は、酵母を培養できる酵母は２１種の全アミノ酸とビタミンをもっている（４）、従って、以上の一連の過程でＨ２とＣＯ２より糖と全２１のアミノ酸を作れる。バイオリアクターでより高率可。［実施例］
【０５】▲１▼、ＣＯ２とＨ２Ｏより、エタノールを作る  （１）、Ｈ２Ｏの電気分解でＨ２  （２）、ＣＯ２の調達は、富化膜や炭化カルシウムの可逆などから。  （３）、Ｈ２＋ＣＯ２で、ＣＯ＋Ｈ２の混合ガス2007006879.tif 000003
ＣＯ＋Ｈ２  （４）、ＣＯ＋Ｈ２より、ジルコニア触媒でエタノールを作る。▲２▼、エタノールを光合成細菌の紅色無いおう細菌により、糖に発酵で変換2007006879.tif 000004
又、「バイオリアクター」に紅色無いおう細菌をつめ、エタノールにうかべ、日にあてておいて作れる。▲３▼その糖やアルデヒドやエタノール（未分）の混合液より、熱して、糖を結晶抽出。▲４▼それ（糖）で「酵母」を培養する事もできるその酵母は、全２１のアミノ酸とビタミンを含む。▲５▼以上、一連のものは、ＣＯ２とＨ２Ｏより、ブドウ糖と全２１のアミノ酸（たん白）と、ビタミンを作る過程であり、又バイオリアクター及びＣ１ケミカルより、工業的な大量収率が可［効果］
【０６】世界人類の先は飢餓がふえる。その時ＣＯ２とＨ２Ｏより、糖と全アミノ酸２１種とビタミンが工場で作れる事の意義は大きい。従来のクロレラと比べても２１種の全アミノ酸や、糖が作れる事は意義が大きい。
【図面の簡単な説明】
【図１】（図面１）は、本発明の過程の、一部の、途中の、概念図
【符号の説明】
１はエタノール２は光合成細菌のなかの、「紅色無いおう細菌」３はバイオリアクター４はケース
【図１】
2007006879.tif 000006
(57)【要約】      （修正有）【課題】ネットのシワを探し、腰をかがめ、手でつかみ、持ち上げの分断された作業手順を無くし、引っ掛け、引き寄せのみの簡単な作業により収穫ができる上、効率良く安定した収穫作業ができる極めて便利な落下果実収穫ネットの補助具を提供する。【解決手段】収穫ネット上に落下した果実を収穫するための補助具であって、収穫ネットの網目に引っ掛け部（Ａ）を差し込んで、引き寄せる柄（Ｂ）と、果樹枝に引っ掛け吊るす（Ｃ）と、果樹枝を引き寄せて固定するための紐を結びつける（Ｄ）部が備えられた、落下果実収穫ネットの補助具。【選択図】図１
2007006878.tif 000002
【特許請求の範囲】
【請求項１】
落下果実収穫ネットの補助具であって、柄の一方に爪を備えた落下果実収穫ネットの補助具。
【請求項２】
爪を横並びに２〜３個備えた落下果実収穫ネットの補助具。
【請求項３】
爪の材質は金属または硬化プラスチック等を使用した落下果実収穫ネットの補助具。
【請求項４】
落下果実収穫ネットの補助具であって、爪を備えていないもう一方の端を折り返し、引っ掛け機能を備えた落下果実収穫ネットの補助具。
【請求項５】
柄の材質は金属性、木製、竹製、塩化ビニール製、プラスチック製、グラスファイバー製等を使用した落下果実収穫ネットの補助具。
【請求項６】
柄の長さを伸縮可能にした落下果実収穫ネットの補助具。
【請求項７】
爪の柄の部分に紐を通せるリングを備えた果実収穫の補助具。
【発明の詳細な説明】
【発明の詳細な説明】
【技術分野】
【０００１】  本発明は、落下果実収穫ネットの補助用具に関し、詳しくは、落下果実を収穫する際に使用する、手軽で安全、しかも効率の良い落下果実収穫ネットの補助具に関する。
【背景技術】
【０００２】  落下果実収穫作業を行う際、特に平坦地の果樹園の場合、地面に敷いたネットを腰をかがめて手でつかみ、持ち上げていた。【０００３】  地面に敷いたネットを手でつかむ場合、つかめる場所が少なく、ネットのしわを探すのが苦労であった。【０００４】  一箇所に落下果実を寄せるためには、四隅の外側からネットを持ち上げたり、揺らしたりしながら前方に追い込まなければならず、重労働でかつ腰に負担がかかった。【０００５】  四隅の外側からネットを持ち上げたり、揺らしたりしながら追い込んでも、落下果実が元に戻ってしまい、同じ事をやらなければならない場合があった。【０００６】  一箇所に落下果実を寄せるために何度も同じ事をしなければならず相当な時間を要した。
【発明が解決しようとする課題】
【０００７】  ところが上記従来の手段においては、相当な労力と作業時間を要した。
【００８】  一度手で持ち上げ、別の場所に移動した際、最初持ち上げた部分は地面に着地し元の状態に戻ってしまい、作業効率が非常に悪かった。
【００９】  このように従来の落下果実の収穫作業には、作業効率、労力のいずれの面でも多くの問題点があった。
【００１０】    このような背景のもとで、今までの落下果実の回収作業をまったく異にした落下果実収穫ネットの補助用具を開発したのである。
落下果実収穫ネットの網目に爪を引っ掛け、手前に引き寄せるものであり、一度持ち上げたらそのまま果樹の枝に引っ掛けて固定が出来る安全で便利な補助具を提供することである。
【課題を解決するための手段】
【００１１】  しかして、本発明は、このような技術的背景のもとで鋭意研究を進めた結果、従来の追い込む方法を使わず、手前に引き寄せ、また必要に応じては持ち上げてそのまま果樹の枝に吊るしたままにするという逆転発想的なもので、本発明を完成させるに至った。
【００１２】  すなわち、本発明は（１）、落下果実収穫ネットの網目に爪を引っ掛け、手前に引き寄せる補助具に存する。
【００１３】  そして、（２）、本発明をそれぞれ両手に持ち両端から手前に引き寄せる補助具に存する。
【００１４】  そしてまた、（３）、柄の長さを任意に可変でき、ネットを持ち上げたままの状態で、高さの異なる果樹の枝に吊るして固定できる補助具に存する。
【００１５】  そしてまた、（４）、複数の本発明を果樹の枝に吊ったまま、もう一方で本発明を両手で持ち、両端から手前に引き寄せる補助具に存する。
【００１６】  そしてまた、（５）、果樹の枝の果実をもぎ取る際、手を伸ばしても届かない場合、本発明の引っ掛け部を果樹の枝に引っ掛けて片手でもぎ取るという、踏み台を必要としない補助具に存する。
【００１７】  そしてまた、（６）、果樹の枝の果実をもぎ取る際、手を伸ばしても届かない場合、本発明の引っ掛け部を果樹の枝に引っ掛けて、本発明の爪の柄の部分のリングに紐の端を結びつけ、もう一方の紐の端を足の裏で押さえつけて、両手でもぎ取るという踏み台を必要としない補助具に存する。
【発明を実施するための最良の形態】
【００１８】  以下、本発明に係る実施の形態を、図面にもとづき、その作用と併せて詳細に説明する。【００１９】  〔第１の実施の形態〕
図１は、落下果実収穫ネットの補助用具を側面から見た図である。【００２０】  図２に示すように、この実施の形態において、柄（Ｂ）の上部を手で持ち、爪（Ａ）部を収穫ネットの網目に差し込んで引き寄せる。【００２１】  図３に示すように、この実施の形態において、爪（Ａ）部を収穫ネットの網目に差し込んで持ち上げ、引っ掛け（Ｃ）部を近くの果樹枝に引っ掛けて、固定する。【００２２】  図３に示すように、この実施の形態において、収穫ネットの網目に爪（Ａ）部を差し込んで持ち上げ、引っ掛け（Ｃ）部を近くの果樹枝に引っ掛けて、固定する際、柄（Ｂ）の長さを自在に調節し、果樹枝の高さに合わせる事が出来る。【００２３】  図４に示すように、この実施の形態において、果樹の枝の果実をもぎ取る際、手を伸ばしても届かない場合、引っ掛け（Ｃ）部を果樹枝に引っ掛け、柄（Ｂ）を持って引っ張り、片手で果実をもぎ取る。【００２４】  図５に示すように、この実施の形態において、果樹の枝の果実をもぎ取る際、手を伸ばしても届かない場合、リング（Ｄ）部に紐を取り付け、引っ掛け（Ｃ）部を果樹枝に引っ掛け、引っ張り、紐の端を足の裏で押さえて、両手でもぎ取る。
【図面の簡単な説明】
【図１】  図１は、第１の実施の形態における落下果実収穫ネットの補助具の側面図を示す。
【図２】  図２は、落下果実収穫ネットの補助具の使用例の説明図である。
【図３】  図３は、落下果実収穫ネットの補助具を果樹枝に引っ掛けた使用例の説明図である。
【図４】  図４は、果樹枝の果実を片手でもぎ取る使用例の説明図である。
【図５】  図５は、果樹枝の果実を両手でもぎ取る使用例の説明図である。
【符号の説明】
Ａ…引っ掛け部分
Ｂ…伸縮可能な柄
Ｃ…果樹枝に引っ掛ける部分
Ｄ…紐を通す部分
Ｅ…紐
【図１】
2007006878.tif 000003
【図２】
2007006878.tif 000004
【図３】
2007006878.tif 000005
【図４】
2007006878.tif 000006
【図５】
2007006878.tif 000007
(57)【要約】【課題】  漁業資源を豊かにするには安全で快適な稚魚や小魚の住みかである魚礁が必要である。魚礁は多様な空間を備え耐久性に優れたものでなければならない。設置された漁礁は海底の地形に良くなじみ複雑な潮流に対して安定している必要がある。【解決手段】  本発明は節を抜いた竹をコンクリートで固定した魚礁を海底に設置する。天然素材である竹を用いた魚礁は多様な空間を備え稚魚や小魚に安全快適な環境を提供する効果があり、構造は単純で耐久性に優れており、海底の諸条件に合わせて１個あたりの体積を変更することが容易であり、製作した漁礁は単体で設置することも集合体で設置することも出来る。【選択図】  図１
2007006829.tif 000002
【特許請求の範囲】
【請求項１】
節を抜いた竹をコンクリートで固定した魚礁
【発明の詳細な説明】
【技術分野】
【０００１】
本発明は節を抜いた竹の空間を活用した魚礁に関するものである。
【背景技術】
【０００２】
従来は、間伐材を組み合わせてその間隙を稚魚や小魚のすみかとするものや、コンクリートやセラミック製の筒を組み合わせてその間隙を稚魚や小魚のすみかとするもので、天然素材によるものは耐久性に欠け、人工的素材によるものは画一的で稚魚や小魚の安全で快適な環境の確保に問題があった。
【特許文献１】特許公開  ２００４−３３７０２４号
【特許文献２】特許公開  ２００２−１１２６６１号
【０００３】
本発明は、節を抜いた竹をコンクリートで固定した魚礁である。この魚礁を海底に設置すると、竹の節を抜いた竹の空間が海水で満たされ稚魚や小魚の安全で快適なすみかとなる。
【発明の開示】
【発明が解決しようとする課題】
【０００４】
稚魚や小魚が安全快適で耐久性に優れた魚礁の提供。  
【課題を解決するための手段】
【０００５】
本発明は節を抜いた竹をコンクリートで固定し、コンクリートの重量で海底に安定させるものである。
【発明の効果】
【０００６】
このようにした魚礁を海底に設置すると、天然素材である竹筒の空間は大小の変化があり稚魚や小魚の良好な住みかとなる。全体の構造が単純でコンクリートで固定しているので耐久性がある。大きさや形状、使用する竹の本数等を変更することが容易で、単体又は集合体として使用が可能であり海底の地形や潮流の変化によくなじむ。
【発明を実施するための最良の形態】
【０００７】
本発明は、節を抜いた竹の円筒形の空間を利用して人工的に稚魚や小魚のすみかを作るもので、それを図面について説明すれば、節を抜いた複数の竹１をコンクリート２で固める。
【実施例１】
【０００８】
本発明を図１に従って説明すると節を抜いた竹を配置してコンクリートで固定する。竹の軸方向や直径の大きさは自由に選択できる。竹を１本づつ平行に配置することも複数の竹を束ねて配置することも可能である。製作した漁礁を単体で設置することも複数の集合体として設置することも出来る。
【図面の簡単な説明】
【０００９】
【図１】本発明の実施例を示す立体図である。
【図２】本発明の実施例を示す正面図である。
【図３】本発明の実施例を示す平面図である。
【図４】本発明の実施例を示す測面図である。
【符号の説明】
【００１０】
１  節を抜いた竹
２  コンクリート
【図１】
2007006829.tif 000003
【図２】
2007006829.tif 000004
【図３】
2007006829.tif 000005
【図４】
2007006829.tif 000006
(57)【要約】【課題】味噌の栄養分が多く含まれながら、美味しい味噌食品を提供することを目的とする。【解決手段】蒸煮大豆、麹及び発酵アルコールを混合して得られた仕込み混合物を、品温４０〜７０℃で２〜１４日間保持して無塩味噌を得、該無塩味噌をホモジナイザー処理することを特徴とする。【選択図】なし【特許請求の範囲】
【請求項１】
蒸煮大豆、麹及び発酵アルコールを混合して得られた仕込み混合物を、品温４０〜７０℃で２〜１４日間保持して無塩味噌を得、該無塩味噌をホモジナイザー処理することを特徴とする味噌の製造方法。
【請求項２】
請求項１記載の味噌の製造方法により得られた味噌を、果汁、野菜ジュース、乳飲料、コーヒー飲料、乳酸菌飲料、糖類、酸味料のうちのいずれか１種、或いは２種以上と混合することを特徴とする味噌食品の製造方法。
【発明の詳細な説明】
【技術分野】
【０００１】
本発明は、味噌及び味噌食品の製造方法に関するものである。
【背景技術】
【０００２】
味噌は、大豆を主原料とするため、大豆の成分を豊富に含んでいる。例えば、大豆の成分として、大豆蛋白、ペプチド、イソフラボン等が挙げられるが、これらは生活習慣病予防の効果があることが報告されて注目されている。
そこで近年、味噌の健康維持に有効な成分を積極的に摂取しようという考えから、味噌を食事の調味料としてだけではなく、手軽に味わうことのできる食品の材料として使用することが考えられている。
例えば、味噌を含む飲料として特許文献１記載のものがある。この飲料は、通常の味噌を１０〜２００倍量の水で希釈し、さらにろ過して得られた水溶性成分を果汁、野菜汁等と混合して製造されるものである。
【０００３】
【特許文献１】特開平５−１０３６４４号公報
【発明の開示】
【発明が解決しようとする課題】
【０００４】
特許文献１に記載のように、味噌は塩分濃度が高いので飲料の材料として使用する場合は高い希釈率で希釈しなければならず、さらに味噌を希釈して得られた液は、沈殿物が生じて味が不均一となるためろ過処理を施さなければならない。よって得られた味噌飲料は、味噌の栄養分がごく少量含まれるだけのものとなってしまう。
【０００５】
そこで、本発明は上記課題を解決すべくなされたものであり、その目的とするところは、味噌の栄養分が多く含まれながら美味しい味噌食品、及びこれを得るための味噌を提供することにある。
【課題を解決するための手段】
【０００６】
本発明は上記目的を達成するため次の構成を備える。
すなわち、本発明の味噌の製造方法は、蒸煮大豆、麹及び発酵アルコールを混合して得られた仕込み混合物を、品温４０〜７０℃で２〜１４日間保持して無塩味噌を得、該無塩味噌をホモジナイザー処理することを特徴とする。これによれば、美味しい上に微粒化されて他の材料と混合しやすく、食品の材料として使い易い味噌を得ることができる。この味噌を原料として用いれば、味噌の栄養分が多く含まれた美味しい味噌食品を簡単に製造できる。
また、本発明の味噌食品の製造方法は、前記味噌の製造方法により得られた味噌を、果汁、野菜ジュース、乳飲料、コーヒー飲料、乳酸菌飲料、糖類、酸味料のうちのいずれか１種、或いは２種以上と混合することを特徴とする。
これにより、味が調整されて食しやすい食品を提供できる。
【発明の効果】
【０００７】
本発明によれば、味噌の栄養分が多く含まれながら美味しい味噌食品を提供することができる。
【発明を実施するための最良の形態】
【０００８】
本発明の味噌食品は、無塩味噌をホモジナイザー処理して得られた味噌を材料として用いる。
無塩味噌は、大豆、麹、発酵アルコールを材料として製造する。大豆は蒸煮して得られる蒸煮大豆を用いる。
麹は、米麹、豆麹、麦麹、醤油麹等があるが、これらのうちの１種或いは２種以上を選択して使用できる。種々ある麹のなかでも米麹はクセがなく好適である。
発酵アルコールは、通常の味噌の原料として使用するものでよい。
これらの配合割合は、蒸煮大豆が５０〜７０重量％、麹が３０〜５０重量％、発酵アルコールが３〜６重量％が好適である。
【０００９】
蒸煮大豆、麹及び発酵アルコールを混合して得られた仕込み混合物を所定期間、所定の品温に保持して熟成させ、無塩味噌を得る。
熟成のための品温は４０〜７０℃（４０℃以上７０℃以下）が好適である。品温を４０〜７０℃としたとき、熟成のための期間は２〜１４日（２日以上１４日以下）が好適である。
通常の味噌の製造方法では、仕込み混合物の品温を３０℃に設定して２〜３ヶ月かけて熟成させるが、材料として塩を用いない場合は３０℃では酸敗してしまい、美味しい味噌が得られない。そこで、本発明では、材料として発酵アルコールを用いると共に、仕込み混合物の品温を４０〜７０℃に設定し、短期間で熟成を行うことで酸敗を防いでいる。
【００１０】
これにより、塩分０％の無塩味噌を得ることができる。この無塩味噌は、酸敗はしていないものの、独特の苦みや香りがあり、このままでは味噌食品の材料として使用できない。
そこで、無塩味噌に、ホモジナイザーを用いて破砕し、微粒化するホモジナイザー処理を施す。無塩味噌はホモジナイザー処理によって微粒化されると、風味が改善され、独特の苦みや香りが改善される。その上、無塩味噌は微粒化されることにより、果汁等の他の材料と混合しやすくなる。
ホモジナイザー処理を行うにあたっては、まず、無塩味噌をチョッパーでこし、さらにこれに水を加えて、無塩味噌をホモジナイザー処理するのに適した状態とするとよい。チョッパーの網目は０．９ｍｍが好適である。これにより、効率良く無塩味噌をホモジナイザー処理することができる。
【００１１】
こうして得られた味噌は、食品の材料として使用できる。例えば、味噌を、果汁、野菜ジュース、乳飲料、コーヒー飲料、乳酸菌飲料、糖類、酸味料のうちのいずれか１種、或いは２種以上と混合して、飲料とするとよい。糖類としては砂糖が、酸味料としてはクエン酸が挙げられる。
味噌は、無塩であるので塩分を気にせずに食品の材料として使用でき、食品における配合量を従来に比較して増やすことができる。これにより得られた食品は、味噌の成分を多く含んで、成分を摂取しやすくなる。
また、味噌は、ホモジナイザー処理により風味が改善されて美味しいので食しやすく、多くの人が味噌の成分を摂取しやすくなる。
また、味噌は微粒化されて果汁や野菜ジュース中に分散しやすく、沈殿物が生じ難いので、味が均一化された良好な食品を得ることができる。
【実施例】
【００１２】
蒸煮大豆４０．０ｋｇ、米麹２１．２ｋｇ、発酵アルコール３．７ｋｇを混合して仕込み混合物とし、これを品温５０℃で４日間保持して発酵、熟成させた。
得られた無塩味噌をチョッパー（網目０．９ｍｍ）で漉した後、加水（無塩味噌：調整水＝１０：３）し、ホモジナイザーにより粒子を破砕処理した。
ホモジナイザー処理して得られた味噌を、果汁、野菜ジュース、乳飲料、コーヒー飲料、乳酸菌飲料でそれぞれ５倍希釈して味噌飲料を得た。
得られた味噌飲料はいずれも沈殿物が生じることなく、味が均一化されて飲み易く美味しいものとなった。
(57)【要約】      （修正有）【解決手段】市販の流線型オモリの、前後２〜３ヶ所に、その数だけフックが取り付けるためのリング1aが溶接され、更に釣り糸を結ぶためのリング1bも設置されたものが内蔵されるオモリの形状で、そのオモリを挿入するためのコンニャク状疑似餌のワーム2には、ワームにそのオモリが内蔵される大きさの空洞が設けられ、そのオモリが挿入されるための、挿入口としてワームの口にあたる部分か、背中もしくは腹部に挿入口が設けられる。【効果】メタルジグのメリットである高比重による遠投性と、コンニャク状疑似餌のワームの柔軟性からくる表現力を共に満たし、コンニャク状疑似餌ワームを、その時々に様々な色や模様のものに交換可能とすることによって、一つのオモリが様々なバリエーションを持つ疑似餌とすることが出来、釣果にも貢献でき、経済的でもある。【選択図】図１
2007006869.tif 000002
【特許請求の範囲】
【請求項１】
金属塊に釣り針を取り付けるためのリングと釣り糸を結ぶ為にのリングが設置されたオモリと、そのオモリを挿入するための挿入口と空洞が設けられたコンニャク状疑似餌のワームという２つのパーツから構成されることを特徴とする疑似餌。
【請求項２】
ワーム内部に挿入される金属塊に釣り針を取り付けるためのリングが取り付けられたオモリは、重量を変えたものも装着することが可能で、遠投性に変化を持たせることが出来、また表面を覆うコンニャク状疑似餌のワームも取替えが可能で、その時々に表面を覆う疑似餌ワームの色や模様も取り替えて使用することが出来ることを特徴とする疑似餌。
【発明の詳細な説明】
【技術分野】    釣り用疑似餌の釣具に関する。
【発明の開示】
【発明が解決しようとする課題】
【０００１】  従来の疑似餌釣りにおいて、遠投や深海で使用する疑似餌においては金属魂で出来たメタルジグがほとんどで、遠投を要する場合や、水深のある海では有効では有るが、素材自体が金属である為、繊細な魚の動きを表現するためには難しいところがあった。また柔軟性を利用して繊細な動きを表現できる疑似餌としてジグヘッドという疑似餌もあるが、釣り針の頭に鉛オモリを溶接した形状であるため、見た目上の鉛の大きさ、重さに限度があり、遠投性に欠けるというデメリットがあった。
【発明の効果】
【０００２】  この発明によって、メタルジグのメリットである高比重による遠投性と、コンニャク状疑似餌のワームの柔軟性からくる表現力を共に満たし、コンニャク状疑似餌ワームを、その時々に様々な色や模様のものに交換可能とすることによって、一つのオモリが様々なバリエーションを持つ疑似餌とすることが出来、釣果にも貢献でき、経済的でもある。
【課題を解決するための手段】
【０００３】  コンニャク状疑似餌ワームの内部に空洞を設け、その空洞にオモリの挿入口を設ける。そしてその疑似餌ワームに、釣り針が取り付けられるリングを持ったオモリを、挿入口から入れ込み、その後、疑似餌ワームは非常に柔軟であるため、フックを取り付けるためのリングを、疑似餌ワームの腹部から突き出し、そのリングに釣り針を取り付けて完成となる。
【発明を実施するための最良の形態】
【実施例】
【０００４】  イメージとしては市販の流線型オモリの数ヶ所に、その数だけのフックが取り付けるためのリングが設けられ、また釣り糸を結ぶためのリングの設置されたものが内蔵されるオモリの形態で、そのオモリを挿入するためのコンニャク状疑似餌のワームには、そのオモリが内蔵される大きさの空洞が設けられ、ワームの口にあたる部分か、背中もしくは腹部にそのオモリが挿入されるための挿入口が設けられる。
【産業上の利用可能性】
【０００５】
【図面の簡単な説明】
【図１】  フックを取り付けるためのリングが溶接されたオモリと、そのオモリを挿入するための疑似餌のワームの断面図及びワームへのオモリの装着断面図。
【符号の説明】
１は、内蔵されるオモリ本体
１ａは、釣り針を取り付けるためのリング
１ｂは、釣り糸を結ぶためのリング
２は、コンニャク状疑似餌ワームの本体
２ａは、オモリの挿入口
３は、１と、４の取り付け完成断面図
【図１】
2007006869.tif 000003